(57)【特許請求の範囲】
【請求項１】
送信の相手先が順に入力され、入力された全相手先のダイヤル番号へ同報送信を行う通信端末器であって、
相手先が入力される毎に、既に入力された相手先のそれぞれと比較し、重複入力が検出された場合には、その旨を報知することを特徴とする通信端末装置。
【請求項２】
入力された相手先が、既に入力した相手先のいずれにも一致しない場合にのみ、同報送信の相手先として記憶保持することを特徴とする請求項１に記載した通信端末装置。
【請求項３】
相手先がワンタッチキーで入力されたときには、既にワンタッチキーで入力された相手先のそれぞれと比較する一方、相手先が短縮番号で入力されたときには、既に短縮番号で入力された相手先のそれぞれと比較することを特徴とする、請求項１または２に記載の通信端末装置。
【発明の詳細な説明】
【０００１】
【発明の属する技術分野】
本発明は、通信端末装置に係り、更に詳しくは、同報送信機能を有する通信端末装置の改良に関する。
【０００２】
【従来の技術】
図４は、従来の通信端末装置として、ファクシミリ装置の構成を示したブロック図である。図中の１はＣＰＵ等で構成される信号処理部、２は原稿から画像データを読み取る読取部、３は読み取った画像を予めセットされた用紙に記録する記録部、４は操作手段であるアップ／ダウンキー、テンキーを含み各種スイッチ等により構成されたキー操作部、５は液晶画面やＬＥＤランプ等で構成された表示部、６は電話回線Ｌに接続され、ファクシミリ通信を行うためのモデムやＮＣＵ等を備えた通信制御部、７は制御プログラム等を予め記録したＲＯＭ、８は読取部２で読み取った画像データや、ファクシミリ受信した画像データを格納するメモリ等を有したＲＡＭである。なお、キー操作部４と表示部５によって、操作パネルを構成している。
【０００３】
読取部２は、ＣＣＤ等の読取センサ２１と、白黒２値化処理や補正処理などの必要な画像処理を行う画像処理部２２などを備える。また、記録部３は、レーザー記録方式のプリンタで構成され、このプリンタ全体を制御するプリンタ制御部３１と、記録する画像データを格納する画像メモリ３２と、画像にあわせてレーザー光線を出力するレーザー出力部３３と回転多面鏡で構成され、トナーを付着させるために、感光体上にレーザー光線を照射させる走査部３４と、記録する用紙を搬送する紙送り部３５などを備え、高品質の画像を高速で記録している。
【０００４】
近年、ファクシミリ装置には、同一の送信データを複数の相手先に対して順次に送信する、いわゆる同報送信の機能を備えたものが広く普及している。この種のファクシミリ装置では、キー操作部４により複数のダイヤル番号を順に入力することにより、複数の相手先が指定される。この様にして入力されたダイヤル番号は、信号処理部１によりＲＡＭ８へ格納される。そして、キー操作部４のスタートキーが押下されることにより、信号処理部１がＲＡＭ８からダイヤル番号を読み出し、各ダイヤル番号に対して順次ファクシミリ送信を行う。
【０００５】
この様なファクシミリ装置において同報送信の相手先を指定する際に、一度入力したダイヤル番号を、再度、誤って入力してしまう場合がある。この様な場合には、同一のファクシミリ送信データが、同一の相手先に重複して送信されることになる。
従来の通信端末装置では、入力されたダイヤル番号を表示部５に表示している。このため、オペレータが、この表示に基づいて、同一のダイヤル番号の入力を回避することにより、重複送信を防止していた。
【０００６】
【発明が解決しようとする課題】
ところが、１つの同報送信について、例えば、１００箇所以上という多数の相手先を指定することができ通信端末装置においては、表示部５を用いた確認作業が非常に煩わしいという問題があった。
特に、通信端末装置の表示部５は、通常、２〜４行程度の液晶表示部により構成されており、同時に表示できるダイヤル番号の数には限界がある。このため、ダイヤル番号を順次表示させながら確認を行う必要があり、確認作業は煩わしいものとなっていた。
【０００７】
本発明は、上記の事情に鑑みてなされたもので、同報送信の相手先のダイヤル番号を入力する際の操作性を向上させることを目的とする。
【０００８】
【課題を解決するための手段】
請求項１に記載した本発明による通信端末装置は、送信の相手先が順に入力され、入力された全相手先のダイヤル番号へ同報送信を行う通信端末器であって、相手先が入力される毎に、既に入力された相手先のそれぞれと比較し、重複入力が検出された場合には、その旨を報知することを特徴とする。
【０００９】
ここで、同報送信とは、同一の送信データを複数の相手先に順次に送信する通信端末装置の機能であり、同報送信される相手先のダイヤル番号は、短縮番号、ワンタッチキー等の入力により予め指定される。また、予め複数のダイヤル番号がグループ化され、送信の相手先としてこの様なグループを指定することがきる通信端末装置においては、グループ送信により指定されたダイヤル番号も含まれる。
【００１０】
請求項２に記載した本発明による通信端末装置は、請求項１に記載の通信端末装置であって、入力された相手先が、既に入力した相手先のいずれにも一致しない場合にのみ、同報送信の相手先として記憶保持することを特徴とする。即ち、入力したダイヤル番号が、既に入力されたダイヤル番号のいずれかに一致する場合には、そのダイヤル番号が、同報送信の相手先のダイヤル番号として記憶保持されることはないが、既に入力されたダイヤル番号のいずれにも一致しない場合には、そのダイヤル番号が、同報送信の相手先のダイヤル番号として記憶保持される。
【００１１】
請求項３に記載した本発明による通信端末装置は、請求項１又は２に記載の通信端末装置であって、相手先がワンタッチキーで入力されたときには、既にワンタッチキーで入力された相手先のそれぞれと比較する一方、相手先が短縮番号で入力されたときには、既に短縮番号で入力された相手先のそれぞれと比較することを特徴とする。
【００１２】
【発明の実施の形態】
図１の１００〜１０７は、本発明による通信端末装置の一例として、ファクシミリ装置の基本動作を示したフローチャートである。このフローチャートは、同報送信を行う際に、相手先のダイヤル番号を指定する操作に関するものである。まず、キー操作により同報送信する相手先の指定が行われる（１００）。ここでは、相手先の指定が、短縮番号、ワンタッチキーのいずれかにより行われた場合にのみ重複入力を検査し、報知するファクシミリ装置について説明するが、直接ダイヤル番号（ファクシミリ番号）を指定してもよい。
【００１３】
短縮番号による指定は、短縮キー、テンキーの押下により行われる。例えば、短縮番号１０に割り当てられた相手先を指定する場合には、短縮キーを押下した後、テンキーの「１」、「０」が押下される。また、ワンタッチキーＡに割り当てられた相手先を指定する場合には、ワンタッチキーＡが押下される。
この様にして１つの相手先が指定されると、相手先の指定が、ワンタッチキーによる指定であるかを検査し（１０１）、ワンタッチキーによる入力であれば、既に入力されてファクシミリ装置内の記憶手段に記憶保持されているワンタッチキーとの比較が行われる（１０２）。
【００１４】
この結果、新たに指定されたワンタッチダイヤルが、既に指定されているワンタッチダイヤルと一致していれば、重複入力であることを報知する（１０３）。一方、一致しなければ、そのワンタッチキーに対応したダイヤル番号（ワンタッチダイヤル）が、同報送信の相手先としてファクシミリ装置内の記憶手段に格納される（１０４）。そして、引続いて同報送信の相手先の指定が行われる。
【００１５】
一方、検査（１０１）の結果、相手先の指定が、ワンタッチキーによる指定でなければ、短縮番号による指定であるのかを検査し（１０５）、短縮番号による入力であれば、既に入力されてファクシミリ装置内の記憶手段に記憶保持されている短縮ダイヤルとの比較が行われる（１０６）。
この結果、新たに指定された短縮ダイヤルが、既に指定されている短縮ダイヤルと一致していれば、重複入力であることを報知する（１０３）。一方、一致しなければ、その短縮番号に対応したダイヤル番号（短縮ダイヤル）が、同報送信の相手先としてファクシミリ装置内の記憶手段に格納される（１０７）。そして、引続いて同報送信の相手先の指定が行われる。なお、検査（１００、１０１）の結果、ワンタッチキーの入力でなく、短縮番号の入力でもない場合にも、引続いて同報送信の相手先の指定が行われる。
【００１６】
この様にして１つの相手先が指定される毎に、ワンタッチキーによる指定と、短縮番号による指定とを区別し、重複入力の有無が検査される。その結果、重複入力であったならば、重複入力の報知が行われ、相手先としてファクシミリ装置内の記憶手段には記憶保持されない。このため、オペレータは、ダイヤル番号の入力を行う毎に、重複入力か否かを知ることができ、短縮番号、ワンタッチキーにより同報送信先の指定を行った場合でも、誤って重複指定されることはない。
【００１７】
図２は、同報送信の相手先を指定する際における、キー入力の一例を示した図である。この図では、相手先の指定が、短縮キー、ワンタッチキーにより行われている。短縮キー、ワンタッチキーの入力は、いずれも識別キー（”［”キー、”］”キー）の入力を伴う。即ち、短縮番号１０を入力する場合には、［１０］と入力され、ワンタッチキーＡを入力する場合には、［Ａ］と入力される。また、１つの相手先が指定される毎に、区切りキーが入力されている。
【００１８】
図３の（ａ）〜（ｄ）は、図２に示した順序でキー入力が行われた場合の通信端末装置の表示手段Ｄの様子を示した図である。表示手段Ｄは、図４に示した表示部５に備えられており、ここでは、表示手段Ｄが液晶画面により構成されているものとする。図中の（ａ）は、短縮番号０４までキー入力が行われた状態を示した図である。相手先の指定は、重複することなく行われており、入力結果が順に表示されている。これらの指定は、記憶手段にも格納されている。
【００１９】
図中の（ｂ）は、短縮番号０５が重複して入力されるまで、さらにキー入力が行われた状態を示した図である。短縮番号０５が再入力されると、液晶画面に重複入力である旨が表示されるとともに、ブサーが鳴動音を出力して、重複入力であることをオペレータに知らせる。なお、この時の短縮番号０５は、記憶手段に格納されない。
【００２０】
図中の（ｃ）は、ワンタッチキーＦが重複して入力されるまで、さらにキー入力が行われた状態を示した図である。（ｂ）の場合と同様、表示及び鳴動音により重複入力である旨が報知され、この時のワンタッチキーＦは、記憶手段に格納されない。
図中の（ｄ）は、ワンタッチキーＧが入力されるまで、さらにキー入力が行われた状態を示した図である。ワンタッチキーＧは、重複して入力されたキーではないため、ワンタッチキーＥに続いて表示され、記憶手段にも登録される。
【００２１】
【発明の効果】
請求項１に記載した本発明による通信端末装置は、同報送信先のダイヤル番号が入力される毎に、重複入力であるかを判別し、重複入力の場合には、その旨を報知する。
即ち、オペレータは、相手先のダイヤル番号を入力する毎に、入力済みダイヤルであるか否かを直ちに確認することができ、表示手段に示されている入力済みのダイヤル番号に基づいて、重複入力か否かを判別する必要がない。従って、同報送信の相手先を指定する際の操作性を向上させることができる。
【００２２】
請求項２に記載した本発明による通信端末装置は、入力されたダイヤル番号が重複入力でない場合にのみ、同報送信の相手先のダイヤル番号として、そのダイヤル番号を記憶保持する。
従って、重複入力が行われた場合に、誤って重複入力されたダイヤル番号を削除する等の作業を行う必要がなく、直ちに、次のダイヤル番号の入力を行うことができる。
【００２３】
請求項３に記載した本発明による通信端末装置は、相手先が指定される毎に、ワンタッチキーによる指定と、短縮番号による指定とを区別し、重複入力の有無が検査される。このため、短縮番号、ワンタッチキーにより同報送信先の指定を行った場合でも、誤って重複指定されることはない。
【図面の簡単な説明】
【図１】本発明による通信端末装置の一例として、ファクシミリ装置の基本動作を示したフローチャートである。
【図２】同報送信の相手先を指定する際におけるキー入力の一例を示した図である。
【図３】図２に示した順でキー入力が行われた場合の通信端末装置の表示手段の様子を示した図である。
【図４】従来の通信端末装置として、ファクシミリ装置の構成を示したブロック図である。
【符号の説明】
［０１］〜［０６］・・・入力されたダイヤル番号（短縮番号入力）
［Ａ］〜［Ｇ］・・・入力されたダイヤル番号（ワンタッチキー入力）
Ｄ  ・・・表示手段
Ｍｅ・・・メッセージ
【図１】
0003598668.tif 000002
【図２】
0003598668.tif 000003
【図３】
0003598668.tif 000004
【図４】
0003598668.tif 000005